(57)【要約】      （修正有）【課題】自転車用カゴカバーに関し、上端と下端に開口部を有する円筒部のカバーの一部において自転車用カゴを覆う袋状のフタ部を設けることで自転車用カゴのフタを簡単に脱着出来、カゴの内容物の大きさに応じてカバー自体の大きさも変化出来る自転車用カゴカバーを提供する。【解決手段】上端と下端に開口部を有する円筒形の自転車用カゴカバーにおいて、上端開口部３の縁周部５には巾着状に開閉する紐体７が開口部全周に設けられ、下端開口部４の縁周部６には伸縮するゴム紐体８が開口部全周に設けられており、更に自転車用カゴカバー本体２の外側の一部において下端開口部４と平行になるよう自転車用カゴ９を覆う袋状のフタ部１０が、縫製一体化されたことを特徴とする。【選択図】図１
0003183484.tif 000002
【実用新案登録請求の範囲】
【請求項１】
上端と下端に開口部を有する円筒形の自転車用カゴカバーにおいて、上端開口部（３）の縁周部（５）には巾着状に開閉する紐体（７）が開口部全周に設けられ、下端開口部（４）の縁周部（６）には伸縮するゴム紐体（８）が開口部全周に設けられており、更に自転車用カゴカバー本体（２）の外側の一部において下端開口部（４）と平行になるよう自転車用カゴ（９）を覆う袋状のフタ部（１０）が、縫製一体化されたことを特徴とする自転車用カゴカバー（１）。
【請求項２】
前記縫製一体化された袋状のフタ部（１０）の真ん中から、下端開口部（４）の縁周部（６）まで切り込み部（１２）が設けられたことを特徴とする請求項１に記載の自転車用カゴカバー（１）。
【請求項３】
前記縫製一体化された袋状のフタ部（１０）の箇所以外の自転車用カゴカバー本体（２）の外側外周部（１３）に自転車用カゴ側面（１４）を締めつけて保持するための伸縮性のゴム紐体（１５）が設けられたことを特徴とする請求項１又は２に記載の自転車用カゴカバー（１）。
【考案の詳細な説明】
【技術分野】
【０００１】  本考案は、自転車用カゴカバーに関し、上端と下端に開口部を有する円筒部のカバーの一部において自転車用カゴを覆う袋状のフタ部を設けることで自転車用カゴのフタを簡単に脱着出来、カゴの内容物の大きさに応じてカバー自体の大きさも変化出来る自転車用カゴカバーに関するものである。
【背景技術】
【０００２】  従来、自転車用カゴカバーとしては、防水や防麈のために、生地に撥水加工をした上端と下端に開口部を有する筒状のものが知られている。【０００３】  なお、下端の開口部はカゴに取り付ける際にゴム紐体でカゴ本体の下部において締めつけ、上端の開口部はその縁周部にファスナーを設け、フタ部を取り付けているものが知られている。【０００４】  一方で上端の開口部をファスナーではなく、開口部の縁周部に巾着状に開閉する紐体が開口部全周に設けられて、紐体を絞り込んで開口部を閉じるものも知られている。
【考案の概要】
【考案が解決しようとする課題】
【０００５】  しかしながら、先述の上端の開口部の縁周部にファスナーを設け、フタとして取り付けるものは、カゴの容量を超える大きさのものが有るとファスナーを閉じることが出来なくなる欠点が有った。【０００６】  又、上端の開口部の縁周部に巾着状に開閉する紐体が開口部全周に設けられていて紐体を絞り込んで開口部を閉じるものでは、カゴ容量を超えた大きさのものを収納出来てもキチンとフタを閉じる事が出来ず、巾着状に絞り込んだ開口部のスキマから雨やホコリが入るという欠点が有った。【０００７】  一方これら従来の自転車用カゴカバーは基本的にカゴの外側を覆うため、カゴの内側においてはカゴ自体の素材と荷物が直接触れたり擦れたりするため、荷物自体を傷つけたりする問題点も有った。
【問題を解決するための手段】
【０００８】  上記課題を解決するために本考案は、上端と下端に開口部を有する円筒形の自転車用カゴカバーにおいて、上端開口部（３）の縁周部（５）には巾着状に開閉する紐体（７）が開口部全周に設けられ、下端開口部（４）の縁周部（６）には伸縮するゴム紐体（８）が開口部全周に設けられており、更に自転車用カゴカバー本体（２）の外側の一部において下端開口部（４）と平行になるよう自転車用カゴ（９）を覆う袋状のフタ部（１０）が、縫製一体化されたことを特徴としている自転車用カゴカバー（１）である。
【０００９】  更に、前記縫製一体化された袋状のフタ部（１０）の真ん中から、下端開口部（４）の縁周部（６）まで切り込み部（１２）が設けられたことを特徴としている自転車カゴカバー（１）である。
【００１０】  又、前記縫製一体化された袋状のフタ部（１０）の箇所以外の自転車用カゴカバー本体（２）の外側外周部（１３）に自転車用カゴ側面（１４）を締めつけて保持するための伸縮性のゴム紐体（１５）が設けられたことを特徴としている自転車用カゴカバー（１）である。
【考案の効果】
【００１１】  本考案の自転車用カゴカバーは、以上のような構成であるため、カゴの容量を超える大きさのものが有っても上端の開口部の縁周部に巾着状に開閉する紐体で絞り込んだ後に、自転車用カゴカバー本体の外側の一部において下端開口部と平行になるよう縫製一体化された袋状のフタ部で自転車用カゴの上部開口部を覆ってキチンとフタをすることが出来るため、スキマから雨やホコリ等の進入を防ぐことの出来る優れたものとなる。
【００１２】  もちろん後カゴのみならず、前カゴにおいても使用することが出来る。その際、前カゴがハンドル部において前カゴ側面でナット留め等で取り付けられている場合が多いため、その場合には、縫製一体化された袋状のフタ部の真ん中から下端開口部の縁周部まで設けられた切り込み部を利用すれば簡単に取り付けられる優れたものとなる。
【００１３】  又、縫製一体化された袋状のフタ部の筒所以外の自転車用カゴカバー本体の外側外周部に自転車用カゴ側面を締め付けて保持するためのゴム紐体が設けられており、カゴの大きさや形状に限定されることなくカゴに密着して取り付けの出来るものとなる。
【００１４】  なお、本考案の自転車用カゴカバーは、カゴの外側を覆うだけでなく、上端開口部の縁周部をカゴの内側に沿って覆いフタをすることが出来るため、カゴに入れた荷物のキズつけ防止やクッションの役目となる副次的効果も得られる優れたものである。
【図面の簡単な説明】
【００１５】
【図１】本考案の自転車用カゴカバーの実施例のうちカゴに取り付ける様子を示した斜視図である。
【図２】本考案の図１における自転車用カゴカバーにおいて、カゴに取り付けた後に袋状のフタ部が被せられる状態の変化を示した斜視図である。
【考案を実施するための形態】
【００１６】  本考案における自転車用カゴカバーの大きさ、形状、デザイン、材質、製造方法等は特に限定されないが、通常は撥水加工を施した防水性のあるポリエステル生地を縫製の手段で縫い合わせて大量生産の出来るものが好ましい。
【実施例】
【００１７】  以下、本考案の一実施例を図１及び図２で説明するが、これによって本考案は何ら限定されるものではない。【００１８】  図１は、本考案の自転車カゴカバー（１）を自転車用カゴ（９）に取り付ける様子を示す斜視図である。まず上端と下端に開口部を有する円筒形となっていることがわかる。そのうち、上端開口部（３）の縁周部（５）には、開口部全周に巾着状に開閉するための紐体（７）が設けられており、下端開口部（４）の縁周部（６）には、伸縮するゴム紐体（８）が開口部全周に設けられているのがわかる。そして自転車用カゴカバー本体（２）の外側の一部において下端開口部（４）と平行になるよう、つまり地面と平行となる位置に自転車用カゴ（９）を覆う袋状のフタ部（１０）が縫製一体部（１１）において縫製の手段で一体化されている。【００１９】  なお、カゴが自転車の前カゴとして取り付けられた場合、自転車用カゴ側面（１４）においてハンドル部とナット留め等されるため、そのナット留め部分を避けて本考案の自転車用カゴカバー（１）においては、前記縫製一体化された袋状のフタ部（１０）の真ん中から、下端開口部（４）の縁周部（６）にまで切り込み部（１２）を設けておくことで簡単に装着することが出来る。【００２０】  一方、前記縫製一体化された袋状のフタ部（１０）の筒所以外の自転車用カゴカバー本体（２）の外側外周部（１３）に自転車用カゴ側面（１４）を締め付けてズレないよう保持するための伸縮性のゴム紐体（１５）が設けられているのがわかる。【００２１】  図２は、本考案の自転車用カゴカバー（１）のうち図１のものを自転車用カゴ（９）に下端開口部（４）から被せた状態のものを示しており、上段、中段、下段と袋状のフタ部（１０）が、自転車用カゴ（９）の上部においてフタを形成していく様子を示している。【００２２】  上段においては、荷物の入った自転車用カゴ（９）の上部において上端開口部（３）の縁周部（５）において、巾着状に開閉する紐体（７）が締め付けてその口を閉じた状態を示し、中段においては、紐体（７）の口を覆うように自転車用カゴカバー本体（２）の外側の一部において下端開口部（４）と平行となるよう縫製の手段で縫製一体部（１１）から突き出た袋状のフタ部（１０）が前記紐体（７）の口を覆うように広がる状態を示し、下段においては、前記袋状のフタ部（１０）が完全に自転車用カゴ（９）の上部を覆ってフタと成った状態を示している。【００２３】  図２においてそれぞれの状態で、前記縫製一体化された袋状のフタ部（１０）の筒所以外の自転車用カゴカバー本体（２）の外側外周部（１３）に伸縮性ゴム紐体（１５）が自転車用カゴ側面（１４）を締め付けてズレないよう保持しているのがわかる。【００２４】  なお、本考案の自転車用カゴカバー（１）は円筒形から成るため四角形や楕円形のような様々な形のカゴにも用いることが出来る。
【符号の説明】
【００２５】  １    自転車用カゴカバー
２    自転車用カゴカバー本体
３    上端開口部
４    下端開口部
５    縁周部
６    縁周部
７    紐体
８    ゴム紐体
９    自転車用カゴ
１０  袋状のフタ部
１１  縫製一体部
１２  切り込み部
１３  外側外周部
１４  自転車用カゴ側面
１５  ゴム紐体
【図１】
0003183484.tif 000003
【図２】
0003183484.tif 000004